(57)【特許請求の範囲】
【請求項１】
薬剤が充填された容器と、
該容器に取り付けられ、前記薬剤が噴射する噴射部材と、
前記容器を載置する傾斜を有するスタンドと
を備えたエアゾール装置であって、
前記噴射部材が前記容器とともに前記スタンド上で回転可能に設けられており、
薬剤を噴射させたときに、薬剤の噴射方向が変動し、
かつ薬剤の拡散範囲が、エアゾール装置の噴射ノズルを原点とし、水平面と水平面からの仰角が７０°以下の面とのあいだの空間内であることを特徴とするエアゾール装置。
【請求項２】
前記薬剤の拡散範囲の水平面からの高さが、１．５ｍ以下である請求項１記載のエアゾール装置。
【請求項３】
薬剤が充填された容器と、
該容器に取り付けられ、前記薬剤が噴射する噴射部材と、
前記容器を載置する傾斜を有するスタンドと
を備えたエアゾール装置を水平面に載置し、
前記噴射部材が噴射の反作用によって前記容器とともに前記スタンド上で回転することにより、薬剤の噴射方向が変動し、かつ薬剤の拡散範囲が、エアゾール装置の噴射ノズルを原点とし、水平面と水平面からの仰角が７０°以下の面とのあいだの空間内であることを特徴とする薬剤の噴射方法。
【請求項４】
前記薬剤の拡散範囲の水平面からの高さが、１．５ｍ以下である請求項３記載の薬剤の噴射方法。
【発明の詳細な説明】
【０００１】
【発明の属する技術分野】
本発明は、エアゾール装置および噴射方法に関する。さらに詳しくは、床や卓上に置かれて使用され、室内などに薬剤を低い位置で広範囲に拡散させ、かつ均一に散布するためのエアゾール装置および噴射方法に関する。
【０００２】
【従来の技術】
殺虫剤、消臭剤、殺菌剤あるいは消毒剤などの薬剤を空間に散布するために、スプレー式のいわゆるエアゾール装置が使用される。
【０００３】
エアゾール装置は、薬剤を有底筒状の容器内に高圧の噴射剤とともに封入してあり、噴射ボタンを作動させることにより、噴射ノズルから薬剤を霧状に噴射させる。
【０００４】
これらエアゾール装置は、使用者が手に持って使用するタイプのエアゾール装置と、床面などに置かれて使用されるタイプのエアゾール装置に大別でき、室内などに薬剤を多量にかつ均一に噴射しようとする場合には、後者の床置きタイプのエアゾール装置を使用すると便利である。
【０００５】
床置きタイプのエアゾール装置のなかには、薬剤をより広い範囲にかつ均一に噴射するため、噴射ノズルあるいはエアゾール装置全体が回転をするものもある。
【０００６】
噴射ノズルが回転するタイプのエアゾール装置は、たとえば実開昭６２−１８７６６３号公報明細書に開示されおり、床面などに静置したエアゾール容器の頂部に位置する噴射ノズルが、噴射の反作用力で回転するものである。
【０００７】
装置全体が回転をするタイプのエアゾール装置は、たとえば実開昭６３−１８１４６７号公報明細書に開示されており、エアゾール容器の底面を曲面とすることにより、噴射の反作用力でエアゾール装置全体が床面上で滑動回転するものである。
【０００８】
これら回転式のエアゾール装置は、噴射ノズルあるいは装置全体が回転しながら、薬剤を上方へと噴射するため、手持ち式のエアゾール装置や、回転をしない床置き式エアゾール装置に比べて、広い範囲の空間に薬剤を拡散させることができる。
【０００９】
また、ダニの駆除などのように、薬剤の散布対象が床面である場合でも、空中に広く拡散した薬剤が落下することにより、広範囲の床面に薬剤を散布することができる。
【００１０】
しかし一方で、これら従来の回転式のエアゾール装置は、噴射ボタンを押し込むと同時に、薬剤が上方へかつ回転しながら噴射されるため、使用者側にも薬剤が噴射され、使用者に薬剤がかかってしまう、あるいは薬剤を吸引してしまうといった問題があった。
【００１１】
この問題を解決するために、噴射ボタンを押し込んだ後一定時間を経過してから噴射が開始される、いわゆる遅延式噴射ボタンの適用が考えられるが、構造が複雑となり信頼性が低下する、操作が難しくなる、コストが高くなるなどの欠点がある。
【００１２】
また、薬剤の中には目的物以外に付着すると好ましくないものもある。しかし従来の回転式のエアゾール装置では、たとえばテーブルの上面を避け床面にのみ薬剤を散布したい、といった要望にこたえることはできなかった。
【００１３】
【発明が解決しようとする課題】
本発明は、以上述べてきた問題を解決するものであり、薬剤を低い位置で広い範囲に均一に噴射することができ、かつ目的物以外への付着を防ぐことのできるエアゾール装置および噴射方法を提供する。
【００１４】
【課題を解決するための手段】
本発明のエアゾール装置および薬剤噴射方法は、薬剤の噴射の反作用によって薬剤の噴射方向を変動させ、薬剤の拡散範囲を、エアゾール装置を原点とし、水平面と水平面からの仰角が７０°以下の面とのあいだの空間内としたことを特徴とする。
【００１５】
さらには、前記薬剤の拡散範囲の水平面からの高さを、１．５ｍ以下としたことを特徴とする。
【００１６】
【発明の実施の形態】
本発明のエアゾール装置および薬剤噴射方法は、薬剤の噴射の反作用によって薬剤の噴射方向を変動させるとともに、薬剤の拡散範囲が、エアゾール装置を原点とし、水平面と水平面からの仰角が７０°以下の面とのあいだの空間内となるようにした。さらに、薬剤の拡散範囲の水平面からの高さを、１．５ｍ以下とした。
【００１７】
噴射方向が変動することにより、薬剤を低い位置で広範囲に拡散させ、かつ薬剤を均一に散布させることができる。さらに、薬剤の拡散範囲を、水平面からの仰角が７０°以下の空間内となるようにしたので、拡散した薬剤の付着が好ましくない面、たとえばテーブルの上面などに付着することを防止することができる。また、薬剤の拡散範囲の水平面からの高さを１．５ｍ以下とすることにより、人体への吸引といった事故を防ぐことができる。
【００１８】
本発明のエアゾール装置および噴射方法を、添付の図面を使用してさらに詳細に説明する。
【００１９】
実施の形態１
図１および図２は、本発明のエアゾール装置および噴射方法の実施の形態の一例を示した図である。
【００２０】
本実施の形態では、エアゾール装置は、薬剤を封入した容器１、噴射ボタン２ａと噴射ノズル２ｂを備えた噴射部材２、肩カバー３、およびスタンド４からなる。
【００２１】
図１（ａ）に矢印Ａで示すように、噴射部材２と肩カバー３を容器１に装着する。肩カバー３は図２に断面で示したように、容器１のビード部１ａと係合し、装着される。噴射部材２はステム挿入孔２ｃにステム１９を挿入することにより取り付けられ、ステム１９を作動させるための噴射ボタン２ａ、薬剤が噴き出す噴射ノズル２ｂからなる。
【００２２】
噴射部材２を押し下げて、さらに噴射ボタン２ａのフランジ２ｄと肩カバー３の係合部３ａが係合するように噴射部材２を回転させると、噴射ボタン２ａがステム１９を押し込んだ状態に保たれ噴射が開始される。なお、フランジ２ｄおよび係合部３ａは１個ないし複数個設けてもよい。
【００２３】
噴射を開始した容器１をスタンド４に載置すると、容器１は噴射の反作用力によりスタンド４上で矢印Ｒに示すように回転する。回転を確実かつ滑らかなものにするため、スタンド４にローラ５を設けてもよい。
【００２４】
スタンド４には傾斜が設けられており、噴射の方向と床面とがなす仰角は、容器１の回転にともなって連続的かつ周期的に変化する。したがって薬剤は、噴射の仰角が小さいときにはエアゾール装置の近傍に、仰角が大きくなったときには遠方に噴射され、全体として広い範囲に均一に散布されることとなる。
【００２５】
噴射によって容器１が回転するために、噴射ノズル２ｂの噴射方向は容器１の中心軸と交差しないようにされていることはいうまでもない。
【００２６】
さらに、薬剤を広い範囲に均一に噴射しつつ目的物以外への付着を防ぐという本願の目的を達成するために、噴射ノズル２ｂによって噴射される薬剤の拡散範囲が床面と床面からの仰角が７０゜以下、好ましくは６０゜以下の面とのあいだの範囲にあるようにするとよい。拡散範囲が７０゜以上となる場合は、高い位置にまで薬液が到達し、薬液を付着させたくない物にまで薬液が付着してしまう。
【００２７】
薬剤の拡散範囲を前記範囲内にするために、この実施の形態では、スタンド４に載せた状態での薬剤の噴射範囲は、床面から６０°以下、好ましくは５０゜以下の範囲となるようにスタンド４および噴射ノズル２ｂの角度を選択するとよい。なお、噴射範囲とは、噴射したときのパターンは円すい形をしているが、ここではパターンの中心線を示す。噴射範囲が６０゜以上の場合は、薬液が高い位置に到達しやすくなる。薬液は人体への吸引や高い位置への付着を考慮して、人体の胸元さらには腰元よりも低い位置で拡散させることが好ましく、具体的には１．５ｍ以下、さらには１．０ｍ以下、とくには０．８ｍ以下が好ましい。
【００２８】
本実施の形態によれば、噴射の方向が予測でき、かつ使用者側へ薬剤が噴射されないため、使用者にかかってしまう、あるいは吸引してしまうといった事故を防ぐことができる。
【００２９】
また、従来の上方へ向かって噴射するタイプのエアゾール装置と異なり、薬剤が高い位置まで拡散することがないため、目的物以外への薬剤の付着を防ぐことができる。
【００３０】
さらに、肩カバー３および噴射部材２は単純な構造であるため安価で信頼性が高く、操作も容易である。また従来のエアゾール容器を設計変更することなく、そのまま取り付けが可能であるという利点もある。
【００３１】
本実施の形態では、噴射部材２と肩カバー３を装着し噴射を開始した状態の容器１をスタンド４に載置したが、スタンド４に載せることにより噴射部材２が押し込まれ噴射が開始されるように構成してもよい。
【００３２】
噴射部材２と肩カバー３あるいは肩カバー３と容器１が強固に係合している必要は必ずしもなく、噴射部材２と容器１との間に相対回転が生じ噴射部材２だけが回転する機構としてもよい。
【００３３】
図３に本発明のエアゾール装置の他の実施の形態を示す。
【００３４】
本実施の形態では、図１および図２の実施の形態において、スタンド１４を鋼線などの小径の棒材から形成したことを特徴とする。スタンド１４の上面において棒材は、容器１１および肩カバー１３に対応した下に凸の円弧形状を形成している。肩カバー１３の外周に設けた溝１３ｄと、スタンド１４の円弧形状の部分が係合することにより、容器１１はスタンド１４上に回転可能な状態で保持される。
【００３５】
図４および図５に本発明のエアゾール装置の別の実施の形態を示す。
【００３６】
本実施の形態では、スタンド２４を蝶番２６および軸受２７を介して容器２１に取り付けた。蝶番２６によって、スタンド２４を図４に示すように畳んでおくことができ、非使用時の保管が容易になるばかりか、噴射部材２２の紛失を防ぐこともできる。使用時は、図５（ａ）に示したように、スタンドを起こして噴射部材２２を連結部２８に取り付けることにより、ステムが押し込まれた状態となり、これを床面などに載置すると、Ｒで示したように容器２１が回転しながら噴射する。この実施の形態では、噴射ノズル部２２ｂの開口部（噴射方向）を図５（ｂ）に示したように容器２１の中心軸に対して傾けることにより容器２１を回転させている。
【００３７】
実施の形態２
本発明のエアゾール装置および噴射方法の別の実施の形態を、図６および図７を用いて説明する。
【００３８】
本実施の形態では、エアゾール装置は、薬剤を封入した容器５１および噴射ボタン５３からなる。噴射ボタン５３には、間欠噴射機構が備えられている。
【００３９】
間欠噴射機構の動作を簡単に説明する。未使用のエアゾール装置においては、図６に示すように、ニードルバルブ５４の先端部分がピストン５７の内周にはまり込み、噴射口５８への流路は閉じられている。噴射ボタン５３を押し込み固定手段５３ｂと噛合させる。ステム５２が押し込まれ、高圧の薬剤が圧力室５９に流入する。薬剤の圧力によって、ピストン５７が図６の左方へと移動する。ニードルバルブ５４もピストン５７に引きずられ、左方へと移動するため、噴射口５８への流路はまだ閉じられたままである。さらにピストン５７が左方に移動しようとするとき、ニードルバルブ５７は後端の段付き部が規制部材５６に当接し、ピストン５７に追従することができない。ニードルバルブ５４の先端部分がピストン５７の内周から離れ、噴射口５８への流路が開かれて、薬剤が噴射口５８から噴射される。
【００４０】
噴射により圧力室５９の圧力が低下すると、ピストン５７がバネによって当初の位置に押し戻され、暫時噴射が停止する。その後、圧力室５９の圧力が回復し、再度ピストン５７を左方へと移動させ、噴射が再開される。
【００４１】
ところで本実施の形態では、ピストン５７先端の噴射ノズル部５７ａに弾性部分が設けられており、図６に示すように、噴射ノズル部５７ａ先端の噴射口５８は斜め下方を向いている。したがって、噴射の開始直後は、薬剤は斜め下方に噴射され、エアゾール装置の近くに噴射、散布される。その後、噴射の反作用によって、噴射ノズル部５７ａの弾性部分が伸張し、図７に示すように、噴射ノズル部５７ａ先端の噴射口５８は斜めやや上方を向く。薬剤はエアゾール装置から離れた位置に噴射、散布される。間欠噴射機構によって、薬剤の噴射が停止すると、噴射ノズル部５７ａは図６の位置へと戻る。
【００４２】
間欠噴射機構の動作にともなって、噴射ノズル部５７ａが図７の矢印Ｓに示すように、上下に首ふり動作を行ないながら薬剤を噴射するため、薬剤を広い範囲にかつ均一に散布することができる。
【００４３】
なお、噴射ノズル部５７ａは、重力によって斜め下方に垂れ下がるようにしてもよいし、当初から斜め下方を向くように形成してもよい。また、当初は上方を向くように形成しておき、噴射の反作用により下方に向かって首ふり動作を行なうようにしてもよい。噴射の反作用により噴射ノズル部５７ａに変形が生じ、噴射の方向に変動が生じさえすればよい。
【００４４】
薬剤を広い範囲に均一に噴射しつつ、目的物以外への付着を防ぐという目的を達成するために、噴射ノズル部５７ａによって噴射される薬剤の拡散範囲が、床面と床面からの仰角が７０°以下の面とのあいだの範囲にあるようにするとよい。
【００４５】
拡散範囲が床面から７０°以上となる場合は、床面に対して垂直上方に噴射されやすくなり、高い位置にまで薬剤が到達し、薬剤を付着させたくない物にまで薬剤が付着してしまう。
【００４６】
また、薬剤は人体への吸入防止や、高い位置への付着防止を考慮して、人体の胸元さらには腰元よりも低い位置で拡散させることが望ましく、具体的には１．５ｍ以下、さらには１．０ｍ以下、とくには０．８ｍ以下が好ましい。
【００４７】
本実施の形態によれば、噴射の方向が予測でき、かつ使用者側へは薬剤が噴射されないため、使用者にかかってしまう、あるいは吸引してしまうといった事故を防ぐことができる。
【００４８】
【発明の効果】
本発明のエアゾール装置によれば、薬剤を広い範囲に均一に噴射することができ、かつ目的物以外への付着を防ぐことができる。
【００４９】
室内などに薬剤を均一に散布しようとする場合に、従来の上方へ向かって噴射するタイプのエアゾール装置のように部屋のほぼ中央に置く必要はなく、部屋の片隅におけばよい。部屋の入り口近傍にエアゾール装置を配置し、噴射を開始させると同時に部屋を出ることができるので、薬剤を吸引してしまう心配がなく安全である。
【図面の簡単な説明】
【図１】本発明のエアゾール装置の実施の形態の一例を示した図である。
【図２】図１のエアゾール装置の噴射部材を説明するための断面図である。
【図３】本発明のエアゾール装置の他の実施の形態を示した図である。
【図４】本発明のエアゾール装置の別の実施の形態を示した図である。
【図５】図４のエアゾール装置の使用時の状態を表す図５（ａ）と、図５（ａ）のＸ部を部分拡大した図５（ｂ）である。
【図６】本発明のエアゾール装置のさらに別の実施の形態を示した図である。
【図７】図６のエアゾール装置の噴射時の動作を説明するための図である。
【符号の説明】
１、１１、２１    容器
１ａ  ビード部
２、１２、２２    噴射部材
２ａ  噴射ボタン
２ｂ、２２ｂ  噴射ノズル
２ｃ  ステム挿入孔
２ｄ  フランジ
３、１３    肩カバー
３ａ  係合部
１３ｄ  溝
４、１４、２４    スタンド
５    ローラ
２６    蝶番
２７    軸受
２８    連結部
１９    ステム
５１    容器
５２    ステム
５３    噴射ボタン
５４    ニードルバルブ
５６    規制部材
５７    ピストン
５７ａ  噴射ノズル部
５８    噴射口
５９    圧力室
【図１】
0004766731.tif 000002
【図２】
0004766731.tif 000003
【図３】
0004766731.tif 000004
【図４】
0004766731.tif 000005
【図５】
0004766731.tif 000006
【図６】
0004766731.tif 000007
【図７】
0004766731.tif 000008